(57)【要約】【課題】ユーザに対して、生活改善させるための強い動機付けを与えることが可能な保健指導支援用プログラムを提供する。【解決手段】この保健指導支援用プログラム５ａは、ユーザの健康に関する情報の入力を受け付けるとともに、受け付けた健康に関する情報に基づいて、生活改善する場合および生活改善しない場合の両方の将来の予測を示すように保健指導支援システム１を機能させる。【選択図】図６
2010157123.tif 000002
【特許請求の範囲】
【請求項１】
コンピュータを、
ユーザの健康に関する情報の入力を受け付けるデータ受付手段と、
前記データ受付手段により受け付けられた前記健康に関する情報に基づいて、生活改善する場合および生活改善しない場合の両方の将来の予測を示す将来予測手段として機能させるための保健指導支援用プログラム。
【請求項２】
前記将来予測手段は、生活改善する場合および生活改善しない場合の前記両方の将来の予測を比較可能に表示するように構成されている、請求項１に記載の保健指導支援用プログラム。
【請求項３】
前記将来予測手段は、現在と、生活改善する場合と、生活改善しない場合との３つの健康状態を比較可能に表示するように構成されている、請求項２に記載の保健指導支援用プログラム。
【請求項４】
前記将来の予測は、体形、健康年齢および医療費からなる群から選択される少なくとも１種の予測である、請求項１または２に記載の保健指導支援用プログラム。
【請求項５】
前記将来予測手段は、現在の体形像、生活改善する場合の将来の予測体形像、および、生活改善しない場合の将来の予測体形像の３つの体形像を比較可能に表示するように構成されている、請求項４に記載の保健指導支援用プログラム。
【請求項６】
前記コンピュータを、
生活改善プランの入力を受け付ける改善プラン受付手段と、
前記改善プラン受付手段により前記生活改善プランの入力が受け付けられる際に、現在の生活状態および受け付けられる前記生活改善プランの両方を比較可能に表示させる表示制御手段としてさらに機能させるための、請求項１〜５のいずれか１項に記載の保健指導支援用プログラム。
【請求項７】
前記コンピュータを、
生活改善のための目標の入力を受け付ける目標受付手段としてさらに機能させ、
前記改善プラン受付手段は、前記目標受付手段により受け付けられた前記目標を達成するための前記生活改善プランの入力を受け付けるように構成されている、請求項６に記載の保健指導支援用プログラム。
【請求項８】
前記生活改善のための目標は、体重、腹囲および体脂肪率からなる群から選択される少なくとも１種に関する目標である、請求項７に記載の保健指導支援用プログラム。
【請求項９】
前記生活改善プランは、運動、飲酒、間食、外食、食事量、食事習慣、食事バランス、および、禁煙の取り組みからなる群から選択される少なくとも１種に関する改善プランである、請求項６〜８のいずれか１項に記載の保健指導支援用プログラム。
【請求項１０】
前記表示制御手段は、前記データ受付手段により受け付けられた前記健康に関する情報に基づいて、ユーザに応じた取り組み項目を表示させ、
前記改善プラン受付手段は、前記取り組み項目が選択されることによって、前記生活改善プランの入力を受け付けるように構成されている、請求項６〜９のいずれか１項に記載の保健指導支援用プログラム。
【請求項１１】
前記コンピュータを、
前記データ受付手段により受け付けられた前記健康に関する情報に基づいて、現在の病態の進行度合いを示す病態リスク表示手段としてさらに機能させるための、請求項１〜１０のいずれか１項に記載の保健指導支援用プログラム。
【請求項１２】
前記コンピュータを、
前記データ受付手段により受け付けられた前記健康に関する情報に基づいて、現在の血管の危険度合いを血管の模式図を用いて示す血管リスク表示手段としてさらに機能させるための、請求項１〜１１のいずれか１項に記載の保健指導支援用プログラム。
【請求項１３】
前記健康に関する情報は、健診項目、食習慣、食事バランス、運動習慣、運動経歴、行動意欲、個人環境、喫煙習慣および生体情報からなる群から選択される少なくとも１種の情報である、請求項１〜１２のいずれか１項に記載の保健指導支援用プログラム。
【請求項１４】
コンピュータを、
ユーザの健康に関する情報の入力を受け付けるデータ受付手段と、
前記データ受付手段により受け付けられた前記健康に関する情報に基づいて、生活改善する場合および生活改善しない場合の両方の将来の予測を示す将来予測手段として機能させるための保健指導支援用プログラムを記録した記録媒体。
【請求項１５】
ユーザの健康に関する情報の入力を受け付けるデータ受付部と、
前記データ受付手段により受け付けられた前記健康に関する情報に基づいて、生活改善する場合および生活改善しない場合の両方の将来の予測を示す将来予測部とを備える、保健指導支援システム。
【発明の詳細な説明】
【技術分野】
【０００１】
本発明は、保健指導支援用プログラム、保健指導支援用プログラムを記録した記録媒体および保健指導支援システムに関し、特に、ユーザの健康に関する情報の入力を受け付ける保健指導支援用プログラム、その保健指導支援用プログラムを記録した記録媒体、および、ユーザの健康に関する情報の入力を受け付ける保健指導支援システムに関する。
【背景技術】
【０００２】
従来、ユーザの健康に関する情報の入力を受け付ける保健指導支援システムが知られている（たとえば、特許文献１参照）。
【０００３】
上記特許文献１には、ユーザの食事や運動などに関する情報（ヘルスアセスメントデータ）の入力が可能な第１の入力手段（データ受付手段）と、個人情報および健診データの入力が可能な第２の入力手段（データ受付手段）と、ヘルスプラン（生活改善プラン）を生成するヘルスプラン生成手段とを備えた健康目標管理システム（保健指導支援システム）が開示されている。この健康目標管理システムは、ヘルスプラン生成手段により、ヘルスアセスメントデータ、個人情報および健診データに基づいて、ヘルスプランを生成するとともに、ヘルスプランの取り組み方に関するアドバイスを提供するように構成されている。これにより、ユーザにとってヘルスプランを実行し易くなる。
【０００４】
【特許文献１】特開２００６−１０６９５２号公報
【発明の開示】
【発明が解決しようとする課題】
【０００５】
しかしながら、上記特許文献１に記載の健康目標管理システム（保健指導支援システム）では、ユーザにとってヘルスプランを実行し易くすることが可能である一方、ヘルスプランと取り組み方についてのアドバイスとを提供するだけでは、ユーザのプランに対する取り組み意欲が刺激されないので、ユーザに対して、ヘルスプランに取り組むための強い動機付けを与えることができないと考えられる。
【０００６】
この発明は、上記のような課題を解決するためになされたものであり、この発明の１つの目的は、ユーザに対して、生活改善させるための強い動機付けを与えることが可能な、保健指導支援用プログラム、保健指導支援用プログラムを記録した記録媒体、および、保健指導支援システムを提供することである。
【課題を解決するための手段および発明の効果】
【０００７】
上記目的を達成するために、この発明の第１の局面における保健指導支援用プログラムは、コンピュータを、ユーザの健康に関する情報の入力を受け付けるデータ受付手段と、データ受付手段により受け付けられた健康に関する情報に基づいて、生活改善する場合および生活改善しない場合の両方の将来の予測を示す将来予測手段として機能させる。
【０００８】
この発明の第１の局面による保健指導支援用プログラムでは、上記のように、コンピュータを、データ受付手段により受け付けられた健康に関する情報に基づいて、生活改善する場合および生活改善しない場合の両方の将来の予測を示す将来予測手段として機能させることによって、生活改善する場合のポジティブな情報を与え、将来への希望や期待を持たせることができるので、ユーザの取り組み意欲をより刺激することができる。また、ユーザに希望や期待を持たせることに加えてユーザに生活改善しない場合のネガティブな情報を与えることができるので、ユーザに対して危機意識を持たせることができる。この結果、ポジティブおよびネガティブの両面から、ユーザの生活改善への取り組み意欲が刺激されるので、ユーザに対して、生活改善させるための強い動機付けを与えることができる。
【０００９】
上記第１の局面による保健指導支援用プログラムにおいて、好ましくは、将来予測手段は、生活改善する場合および生活改善しない場合の両方の将来の予測を比較可能に表示するように構成されている。このように構成すれば、ユーザは、生活改善する場合のポジティブな情報および生活改善しない場合のネガティブな情報を視覚的に比較して認識することができるので、希望や期待および危機意識のそれぞれをより高めることができる。その結果、ユーザに対して、生活改善させるためのより強い動機付けを与えることができる。
【００１０】
この場合、好ましくは、将来予測手段は、現在と、生活改善する場合と、生活改善しない場合との３つの健康状態を比較可能に表示するように構成されている。このように構成すれば、ユーザは、現在の健康状態と生活改善する場合の健康状態との比較、現在の健康状態と生活改善しない場合の健康状態との比較、および、生活改善する場合の健康状態と生活改善しない場合の健康状態との比較の３つのパターンを視覚的に比較して認識することができるので、希望や期待および危機意識のそれぞれをさらに高めることができ、その結果、生活改善させるためのさらに強い動機付けをユーザに与えることができる。
【００１１】
上記第１の局面による保健指導支援用プログラムにおいて、好ましくは、将来の予測は、体形、健康年齢および医療費からなる群から選択される少なくとも１種の予測である。このように構成すれば、体形、健康年齢および医療費といった具体的な事項の予測が示されるので、ユーザに将来の具体的なイメージを持たせることができ、その結果、生活改善させるためのより強い動機付けをユーザに与えることができる。
【００１２】
この場合、好ましくは、将来予測手段は、現在の体形像、生活改善する場合の将来の予測体形像、および、生活改善しない場合の将来の予測体形像の３つの体形像を比較可能に表示するように構成されている。このように構成すれば、３つの体形像が視覚的に比較されるので、ユーザにより具体的な体形のイメージを持たせることができ、その結果、生活改善させるためのさらに強い動機付けをユーザに与えることができる。
【００１３】
上記第１の局面による保健指導支援用プログラムにおいて、好ましくは、コンピュータを、生活改善プランの入力を受け付ける改善プラン受付手段と、改善プラン受付手段により生活改善プランの入力が受け付けられる際に、現在の生活状態および受け付けられる生活改善プランの両方を比較可能に表示させる表示制御手段としてさらに機能させる。このように構成すれば、現在の生活状態と視覚的に比較しながら生活改善プランを入力することができるので、ユーザにとって生活改善プランを立案し易くなる。
【００１４】
この場合、好ましくは、コンピュータを、生活改善のための目標の入力を受け付ける目標受付手段としてさらに機能させ、改善プラン受付手段は、目標受付手段により受け付けられた目標を達成するための生活改善プランの入力を受け付けるように構成されている。このように構成すれば、ユーザは、目標を決定した上で、その目標を達成するための生活改善プランを立案することができるので、生活改善プランをより立案し易くなる。
【００１５】
上記コンピュータを目標受付手段として機能させる構成において、好ましくは、生活改善のための目標は、体重、腹囲および体脂肪率からなる群から選択される少なくとも１種に関する目標である。このように構成すれば、目標受付手段により、体重、腹囲および体脂肪率といった具体的な事項に関しての目標が受け付けられるので、ユーザにとって目標を設定し易くなる。
【００１６】
上記コンピュータを改善プラン受付手段として機能させる構成において、好ましくは、生活改善プランは、運動、飲酒、間食、外食、食事量、食事習慣、食事バランス、および、禁煙の取り組みからなる群から選択される少なくとも１種に関する改善プランである。このように構成すれば、改善プラン受付手段により、運動、飲酒、間食、外食、食事量、食事習慣、食事バランス、および、禁煙の取り組みといった具体的な事項に関しての生活改善プランが受け付けられるので、ユーザにとって生活改善プランをより立案し易くなる。
【００１７】
上記コンピュータを改善プラン受付手段として機能させる構成において、好ましくは、表示制御手段は、データ受付手段により受け付けられた健康に関する情報に基づいて、ユーザに応じた取り組み項目を表示させ、改善プラン受付手段は、取り組み項目が選択されることによって、生活改善プランの入力を受け付けるように構成されている。このように構成すれば、各ユーザの嗜好に沿った取り組み項目を表示させることができるので、ユーザにとって生活改善プランをより立案し易くなる。
【００１８】
上記第１の局面による保健指導支援用プログラムにおいて、好ましくは、コンピュータを、データ受付手段により受け付けられた健康に関する情報に基づいて、現在の病態の進行度合いを示す病態リスク表示手段としてさらに機能させる。このように構成すれば、病態の進行度合いを容易にイメージさせることができるので、容易に、ユーザに強い危機意識を持たせることができる。
【００１９】
上記第１の局面による保健指導支援用プログラムにおいて、好ましくは、コンピュータを、データ受付手段により受け付けられた健康に関する情報に基づいて、現在の血管の危険度合いを血管の模式図を用いて示す血管リスク表示手段としてさらに機能させる。このように構成すれば、血管の危険度合いを容易にイメージさせることができるので、容易に、ユーザに強い危機意識を持たせることができる。
【００２０】
上記第１の局面による保健指導支援用プログラムにおいて、好ましくは、健康に関する情報は、健診項目、食習慣、食事バランス、運動習慣、運動経歴、行動意欲、個人環境、喫煙習慣および生体情報からなる群から選択される少なくとも１種の情報である。このように構成すれば、健診項目、食習慣、食事バランス、運動習慣、運動経歴、行動意欲、個人環境、喫煙習慣および生体情報からなる群から選択される少なくとも１種の情報に基づいて、将来予測手段により、生活改善する場合および生活改善しない場合の両方の将来の予測を示すことができる。
【００２１】
この発明の第２の局面における保健指導支援用プログラムを記録した記録媒体は、コンピュータを、ユーザの健康に関する情報の入力を受け付けるデータ受付手段と、データ受付手段により受け付けられた健康に関する情報に基づいて、生活改善する場合および生活改善しない場合の両方の将来の予測を示す将来予測手段として機能させるための保健指導支援用プログラムを記録する。
【００２２】
この発明の第２の局面による保健指導支援用プログラムを記録した記録媒体では、上記のように、コンピュータを、データ受付手段により受け付けられた健康に関する情報に基づいて、生活改善する場合および生活改善しない場合の両方の将来の予測を示す将来予測手段として機能させるための保健指導支援用プログラムを記録することによって、生活改善する場合のポジティブな情報を与え、将来への希望や期待を持たせることができるので、ユーザの取り組み意欲をより刺激することができる。また、ユーザに希望や期待を持たせることに加えてユーザに生活改善しない場合のネガティブな情報を与えることができるので、ユーザに対して危機意識を持たせることができる。この結果、ポジティブおよびネガティブの両面から、ユーザの生活改善への取り組み意欲が刺激されるので、ユーザに対して、生活改善させるための強い動機付けを与えることができる。
【００２３】
この発明の第３の局面における保健指導支援システムは、ユーザの健康に関する情報の入力を受け付けるデータ受付部と、データ受付手段により受け付けられた健康に関する情報に基づいて、生活改善する場合および生活改善しない場合の両方の将来の予測を示す将来予測部とを備える。
【００２４】
この発明の第３の局面による保健指導支援システムでは、上記のように、データ受付部により受け付けられた健康に関する情報に基づいて、生活改善する場合および生活改善しない場合の両方の将来の予測を示す将来予測部を設けることによって、生活改善する場合のポジティブな情報を与え、将来への希望や期待を持たせることができるので、ユーザの取り組み意欲をより刺激することができる。また、ユーザに希望や期待を持たせることに加えてユーザに生活改善しない場合のネガティブな情報を与えることができるので、ユーザに対して危機意識を持たせることができる。この結果、ポジティブおよびネガティブの両面から、ユーザの生活改善への取り組み意欲が刺激されるので、ユーザに対して、生活改善させるための強い動機付けを与えることができる。
【発明を実施するための最良の形態】
【００２５】
以下、本発明を具体化した実施形態を図面に基づいて説明する。
【００２６】
図１は、本発明の一実施形態による保健指導支援システムの全体構成を示したブロック図である。まず、図１を参照して、本発明の一実施形態による保健指導支援システム１の全体構成について説明する。
【００２７】
本実施形態による保健指導支援システム１は、図１に示すように、制御部２と、表示部３と、入力デバイス４とから主として構成されたコンピュータによって構成されている。
【００２８】
制御部２は、ＣＰＵ２１と、ＲＯＭ２２と、ＲＡＭ２３と、ハードディスク２４と、読出装置２５と、入出力インタフェース２６と、通信インタフェース２７と、画像出力インタフェース２８とから主として構成されている。ＣＰＵ２１、ＲＯＭ２２、ＲＡＭ２３、ハードディスク２４、読出装置２５、入出力インタフェース２６、通信インタフェース２７、および画像出力インタフェース２８は、バス２９によって接続されている。
【００２９】
ＣＰＵ２１は、ＲＯＭ２２に記憶されているコンピュータプログラムおよびＲＡＭ２３にロードされたコンピュータプログラムを実行することが可能である。そして、後述するような保健指導支援用プログラム５ａをＣＰＵ２１が実行することにより、コンピュータが保健指導支援システム１として機能する。
【００３０】
ＲＯＭ２２は、マスクＲＯＭ、ＰＲＯＭ、ＥＰＲＯＭ、ＥＥＰＲＯＭなどによって構成されており、ＣＰＵ２１に実行されるコンピュータプログラムおよびこれに用いるデータなどが記録されている。
【００３１】
ＲＡＭ２３は、ＳＲＡＭまたはＤＲＡＭなどによって構成されている。ＲＡＭ２３は、ＲＯＭ２２およびハードディスク２４に記録されているコンピュータプログラムの読み出しに用いられる。また、これらのコンピュータプログラムを実行するときに、ＣＰＵ２１の作業領域として利用される。
【００３２】
ハードディスク２４は、オペレーティングシステムおよびアプリケーションプログラムなど、ＣＰＵ２１に実行させるための種々のコンピュータプログラムおよびそのコンピュータプログラムの実行に用いるデータがインストールされている。保健指導支援用プログラム５ａも、このハードディスク２４にインストールされている。また、ハードディスク２４は、後述するユーザの健康に関する情報を記憶可能に構成されている。
【００３３】
読出装置２５は、フレキシブルディスクドライブ、ＣＤ−ＲＯＭドライブ、またはＤＶＤ−ＲＯＭドライブなどによって構成されており、ＣＤ−ＲＯＭ型の可搬型記録媒体５に記録されたコンピュータプログラムまたはデータを読み出すことができる。また、可搬型記録媒体５には、保健指導支援用プログラム５ａが格納されており、コンピュータがその可搬型記録媒体５から保健指導支援用プログラム５ａを読み出してハードディスク２４にインストールすることが可能である。
【００３４】
なお、上記保健指導支援用プログラム５ａは、可搬型記録媒体５によって提供されるのみならず、電気通信回線（有線、無線を問わない）によってコンピュータと通信可能に接続された外部の機器から上記電気通信回線を通じて提供することも可能である。たとえば、上記保健指導支援用プログラム５ａがインターネット上のサーバコンピュータのハードディスク内に格納されており、このサーバコンピュータにコンピュータがアクセスして、その保健指導支援用プログラム５ａをダウンロードし、これをハードディスク２４にインストールすることも可能である。また、上記保健指導支援用プログラム５ａをインターネット上のサーバに格納させ、このサーバに対してクライアントの端末からアクセスして使用する形態も適用可能である。
【００３５】
また、ハードディスク２４には、たとえば、米マイクロソフト社が製造販売するＷｉｎｄｏｗｓ（登録商標）などのグラフィカルユーザインタフェース環境を提供するオペレーティングシステムがインストールされている。以下の説明においては、保健指導支援用プログラム５ａは上記オペレーティングシステム上で動作するものとしている。
【００３６】
入出力インタフェース２６は、たとえば、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、およびＤ／Ａ変換器、Ａ／Ｄ変換器などからなるアナログインタフェースなどから構成されている。入出力インタフェース２６には、入力デバイス４が接続されており、ユーザがその入力デバイス４を使用することにより、コンピュータにデータを入力することが可能である。
【００３７】
通信インタフェース２７は、たとえば、Ｅｔｈｅｒｎｅｔ（登録商標）インタフェースである。保健指導支援システム１は、この通信インタフェース２７により、所定の通信プロトコルを使用して外部のホストコンピュータ１０との間でデータの送受信を行うように構成されている。また、保健指導支援システム１は、通信インタフェース２７およびネットワークを介して、他のコンピュータ１１との間でデータの送受信を行うことが可能に構成されている。
【００３８】
画像出力インタフェース２８は、ＬＣＤまたはＣＲＴなどで構成された表示部３に接続されており、ＣＰＵ２１から与えられた画像データに応じた映像信号を表示部３に出力するように構成されている。表示部３は、入力された映像信号にしたがって、画像（画面）を表示するように構成されている。
【００３９】
図２は、図１に示した一実施形態による保健指導支援システムの保健指導支援用プログラムによる保健指導支援動作を示したフロー図である。図３〜図１６は、図１に示した一実施形態による保健指導支援システムの保健指導支援用プログラムによる保健指導支援動作を説明するための図である。次に、図２〜図１６を参照して、本実施形態による保健指導支援システム１の保健指導支援用プログラム５ａによる保健指導支援動作について説明する。
【００４０】
まず、図２のステップＳ１において、ＣＰＵ２１により、ユーザの健康に関する情報の入力が受け付けられる。具体的には、ユーザが入力デバイス４によって、検診項目、食習慣、食事バランス、運動習慣、運動経歴、行動意欲、個人環境、喫煙習慣および生体に関する情報を入力する。より具体的には、氏名、性別、年齢、体重、腹囲、身長が基礎的な情報として入力されるとともに、収縮期血圧、拡張期血圧、中性脂肪、ＨｂＡ１ｃ、空腹時血糖値などの健診項目が入力される。また、食事量、外食頻度、糖類摂取状況などの食習慣に関する情報が質問形式の入力画面（図示せず）から入力される。また、食習慣に関する質問形式と同様の方法で、炭水化物摂取状況、緑黄色野菜摂取状況、淡色野菜摂取状況などの食事バランスに関する情報、および、スポーツ施設への訪問頻度、自宅での運動頻度、シーズンスポーツ頻度などの運動習慣に関する情報が入力される。さらに、学生時代のクラブ活動暦、学生時代の運動嗜好、青年期の運動頻度などの運動経歴に関する情報、および、行動意欲や喫煙習慣などに関する情報も同様の方法で入力される。ＣＰＵ２１により受け付けられた入力データは、通信インタフェース２７を介して接続されたホストコンピュータ１０に記憶される。
【００４１】
そして、ステップＳ２において、ＣＰＵ２１により、入力されたデータに基づいて、現在のユーザの健康状態が把握され、ユーザに対して現在の健康状態が表示される。具体的には、図３に示すように、表示部３の画面上の病態把握ボタン３ａを押下した後、血管リスクタブ３１ａを選択することによって、血管リスク画面３１が表示される。血管リスク画面３１には、入力されたデータに基づいてパーソナライズ化された現在の血管の状態を示す指標が表示される。具体的には、血管の模式図３１１が横方向に延びるように描画され、血管の端部には模式的な血管の断面図（断面画像）３１１ａが表示される。血管の断面図３１１ａには、血栓３１１ｂが描かれており、血栓３１１ｂの大きさが大きくなるほど血管の危険度合いが高いことを意味する。血栓３１１ｂは、後述する喫煙習慣、収縮期血圧などの状態を示す棒グラフ３１２の各項目の値の合計値に基づいて、その大きさが変動される。すなわち、喫煙習慣、収縮期血圧などの情報に基づいて血管の危険度合いがより高いと判断されると、血栓３１１ｂがより大きく表示される。
【００４２】
また、血管リスク画面３１には、ユーザの喫煙習慣や収縮期血圧などの状態を示す棒グラフ３１２が表示される。棒グラフ３１２は、項目毎に理想値を示す部分３１２ａと理想値を超えた部分３１２ｂとの２つに色分けして表示される。これにより、ユーザの値と理想値との比較が視覚的に容易になるので、ユーザにとって、危険度合いを認識し易くなる。また、棒グラフ３１２は、上端部が山形形状に描かれており、理想値を超えた部分３１２ｂが大きくなると、背面に描かれた血管３１１に突き刺さるような構成で表現される。これにより、各項目の値が理想値から乖離すればするほど、血管３１１に与える悪影響が大きくなることを示すことが可能である。
【００４３】
また、血管リスク画面３１には、入力された性別および腹囲から推定される内臓脂肪の断面積を示すゲージ３１３が表示される。ゲージ３１３は、理想値を示す部分３１３ａと理想値を超えた部分３１３ｂとの２つに色分けして表示される。また、ゲージ３１３の背面側には、推定された内臓脂肪の断面積を模式的に表す内蔵脂肪のイメージ画像３１４が表示される。内臓脂肪のイメージ画像３１４は、推定された内臓脂肪の断面積に対応して大きさが変動される。また、内臓脂肪のイメージ画像３１４の近傍には、内蔵脂肪の大きさの比較のために硬貨の画像３１５が表示される。これにより、内臓脂肪の大きさを具体的にイメージし易くなる。また、血管リスク画面３１には、入力データに基づいて、体重、身長、ＢＭＩ、腹囲などの基礎的な情報とともに、推定される血管年齢が表示される。
【００４４】
次に、病態把握タブ３２ａが選択されると、図４に示すように、病態把握画面３２が表示される。病態把握画面３２には、潜在的に進行する状態として、内臓脂肪の蓄積に関する項目３２１ａと、尿酸の異常に関する項目３２１ｂとが表示される。また、病態把握画面３２には、血管が傷み始める状態として、血糖の異常に関する項目３２２ａと、７５ｇ糖負荷検査に関する項目３２２ｂと、血脂の異常に関する項目３２２ｃと、肝機能の異常に関する項目３２２ｄと、血圧の異常に関する項目３２２ｅとが表示される。また、病態把握画面３２には、血管がボロボロになる状態として、動脈の変化に関する項目３２３ａと、頚動脈の変化に関する項目３２３ｂと、冠動脈の変化に関する項目３２３ｃと、細動脈に関する項目３２３ｄと、腎血管の変化に関する項目３２３ｅとが表示される。さらに、病態把握画面３２には、健康障害が発生する状態として、心臓病に関する項目３２４ａと、脳卒中に関する項目３２４ｂと、閉塞性動脈硬化に関する項目３２４ｃと、糖尿病合併症に関する項目３２４ｄと、腎臓病に関する項目３２４ｅとが表示される。
【００４５】
また、病態把握画面３２では、潜在的に進行する状態、血管が傷み始める状態、血管がボロボロになる状態（損傷が大きい状態）および健康障害が出る状態の各項目が、危険度合いが低いものから順に左側から右側に向かって配列されている。また、病態把握画面３２では、問題のある項目の領域が変色されて強調表示されるとともに、問題のある項目間が赤色などの目立つ色彩の矢印で連結される。たとえば、内臓脂肪の蓄積に関する項目、尿酸の異常に関する項目、血糖の異常に関する項目、および、血脂の異常に関する項目に問題がある場合には、これらの項目の領域が変色されて強調表示されるとともに、互いに赤色の矢印で連結される。これにより、ユーザに対して、各項目の関連と病態の危険度合いとを容易に認識させることが可能である。また、病態把握画面３２では、潜在的に進行する状態、血管が傷み始める状態および血管がボロボロになる状態の３つの状態を自覚症状がない状態として分類し、健康障害が出る状態を生活に影響あるいは死亡の危険性がある状態として分類している。
【００４６】
次に、喫煙状況タブ３３ａが選択されると、図５に示すように、喫煙リスク画面３３が表示される。喫煙リスク画面３３には、入力データに基づいて、各ユーザに適合するように、無関心期向けコンテンツ、関心期向けコンテンツおよび準備期向けコンテンツの３パターンの内容が表示される。たとえば、ユーザが喫煙リスクに対して無関心状態の場合には、図５に示すように、喫煙リスク画面３３には、無関心期向けコンテンツとして、ニコチン依存のメカニズム画像およびニコチン依存のメカニズムの説明が表示される。これにより、ユーザに対して、喫煙リスクを認識させ、禁煙を促す効果が得られる。
【００４７】
そして、図２のステップＳ３において、ＣＰＵ２１により、体形、健康年齢および医療費に関して、将来予測がなされる。具体的には、図６に示すように、将来予測ボタン３ｂを押下した後、スタイルタブ３４ａを選択することによって、スタイル予測画面３４が表示される。スタイル予測画面３４には、入力された健診項目（腹囲、性別、年齢など）などに基づいて、現在の体形像３４１、生活改善した場合の所定年数後の予測体形像３４２、および、生活改善しない場合の所定年数後の予測体形像３４３の３つの体形像が比較可能に表示される。また、これらの体形像は、３次元的に表現されている。本実施形態では、スタイル予測画面３４には、生活改善した場合の体形像として、所定の割合の減量（たとえば、現在の体重に対して５％減量）をした場合に予測される所定年数後の体形が表現される。また、生活改善しない場合の体形像として、現状の生活状態を維持した場合に予測される所定年数後の体形が表現される。また、スタイル予測画面３４には、各体形像３４１、３４２、３４３に加えて、各状態に対応する体重も表示される。
【００４８】
また、健康年齢タブ３５ａが選択されると、図７に示すように、健康年齢予測画面３５が表示される。健康年齢予測画面３５には、入力された健診項目（ＨｂＡ１ｃ、空腹時血糖値、中性脂肪など）などに基づいて、健康体を維持することができる予測年齢が表示される。たとえば、生活改善した場合には、６０歳を超えると代謝が増加して摂取可能なエネルギ量が増加する旨が表示されるとともに、生活改善せずに糖尿病が発症した場合には、摂取可能なエネルギ量が制限される旨が表示される。これにより、生活改善する場合および生活改善しない場合の両方の将来の状態を容易に比較することが可能である。
【００４９】
また、医療費タブ３６ａが選択されると、図８に示すように、医療費予測画面３６が表示される。医療費予測画面３６の一覧表３６１には、肥満および高血糖である状態を基準として、将来的に増減する１ヶ月間の医療費および６０歳までの医療費がそれぞれに表示される。たとえば、生活改善することにより健常となった場合には、肥満および高血糖である状態に対して、１ヶ月間に６，５４５円を節約可能であることが表示され、生活改善しない場合に、肥満および高血糖に加えて高血圧になったとすれば、肥満および高血糖である状態に対して、１ヶ月間の医療費が１２，６３３円増加することが表示される。これにより、体形や健康年齢といった健康に関することに加えて、経済的な側面からも生活改善することの利点をユーザに示すことが可能である。また、医療費予測画面３６には、医療費が節約された結果、購入可能となる自動車などの嗜好品が表示される。これにより、ユーザに対して、将来への希望や期待を持たせ易くなる。
【００５０】
次に、図２のステップＳ４において、ＣＰＵ２１により、目標の入力が受け付けられる。具体的には、図９に示すように、目標設定ボタン３ｃが押下されることによって、目標設定画面３７が表示される。目標設定画面３７には、入力データに基づいて、現在の体重および腹囲が表示されるとともに、各値の減少割合を選択するための選択部３７１ａおよび３７１ｂが表示される。選択部３７１ａおよび３７１ｂは、それぞれ、プルダウン方式で減少割合を選択することが可能である。また、ユーザは、目標設定画面３７において、体重および腹囲の減少割合から算出される目標体重および目標腹囲を確認可能である。具体的には、ユーザにより体重の減少割合が選択された場合、ＣＰＵ２１により、目標体重および減少する体重が算出されて表示される。また、ユーザにより腹囲の減少割合が選択された場合には、体重の場合と同様に、目標腹囲および減少する腹囲が算出されて表示される。上記の機能を用いることによって、ＣＰＵ２１により、減少割合から目標体重および目標腹囲が容易に算出されるので、ユーザにとって目標体重または目標腹囲を決定し易くなる。
【００５１】
また、目標設定画面３７では、１日あたりのエネルギ減少目標値の設定が可能である。ユーザが減少割合から算出される目標体重および目標腹囲を参考にしながら、目標設定部３７２ａまたは３７２ｂに体重または腹囲のいずれか一方の目標値を入力することによって、ＣＰＵ２１により減量目標エネルギ量が算出される。具体的には、ユーザは、目標値を入力した後、減量期間および維持期間をそれぞれ期間設定部３７３ａおよび３７３ｂに入力する。減量期間とは、目標体重または目標腹囲に到達させるための期間であり、維持期間とは、減量して到達された目標体重または目標腹囲を維持させる期間である。本実施形態では、減量期間および維持期間を合わせて６ヶ月間となるように設定することが可能である。そして、減量期間および維持期間が設定されると、開始から１ヶ月毎の目標体重または目標腹囲が表示される。さらに、ＣＰＵ２１により、これらの設定値に基づいて算出が行われ、１日あたりに減少させる体重または腹囲、および、減少させる必要がある１日あたりのエネルギ量がそれぞれ目標値設定欄３７４に表示される。たとえば、腹囲を１ｃｍ減少させる目標を設定し、減量期間を４ヶ月、維持期間を２ヶ月と設定した場合には、４ヶ月間で減少させなければならないエネルギ量を算出した後、その値を１２０日で除すことによって１日あたりの目標エネルギ減少量が算出される。
【００５２】
次に、図２のステップＳ５において、ＣＰＵ２１により、プランの入力が受け付けられる。具体的には、図１０に示すように、プラン設定ボタン３ｄを押下した後、活動運動タブ３８ａを選択することによって、活動運動画面３８が表示される。活動運動画面３８には、活動および運動に関しての現状を示す現状表示欄３８１と、目標達成のためのプランを示す目標表示欄３８２と、選択リスト欄３８３と、エネルギ量ゲージ３８４と、コメント欄３８５とが表示される。現状表示欄３８１および目標表示欄３８２には、それぞれ、活動および運動に関する１週間分の状況が表示されるとともに、１日毎の消費エネルギ量が表示される。また、選択リスト欄３８３には、取り組み項目である活動および運動に関するアイコンが複数表示され、表示されるアイコンの種類は入力データに基づいてパーソナライズ化されている。すなわち、入力された運動経歴に基づいて、各ユーザの嗜好に沿ったアイコンが表示される。
【００５３】
ユーザは、まず、現状表示欄３８１の対応する箇所に選択リストから当てはまるアイコンを選択してドラッグ＆ドロップ操作することによって、現在の活動運動状況を作成する。たとえば、平日に徒歩で通勤している場合には、月曜日〜金曜日の朝および夜の欄に普通歩行のアイコンをドラッグ＆ドロップ操作して表示させる。現状表示欄３８１にいずれかのアイコンが表示されると、現状表示欄３８１の下段に１日毎の消費エネルギ量が表示される。また、現状表示欄３８１の下側には、１日あたりの平均消費エネルギ量が表示される。これにより、ユーザは現在の活動および運動の状態を再認識するとともに、１日あたりの平均消費エネルギ量を確認することが可能である。
【００５４】
次に、ユーザは、現状と比較しながら、目標表示欄３８２の対応する箇所に選択リストから当てはまるアイコンを選択してドラッグ＆ドロップ操作することによって、目標達成のためのプランを作成する。たとえば、現状に加えて、平日の昼間にウォーキングを行う場合には、月曜日〜金曜日の昼の欄に速歩のアイコンをドラッグ＆ドロップ操作して表示させる。目標表示欄３８２にアイコンが表示されると、目標表示欄３８２の下段に、プランを実行した場合の１日毎の消費エネルギ量が表示され、目標表示欄３８２の下側にはプランを実行した場合の１日あたりの平均消費エネルギ量が表示される。
【００５５】
また、エネルギ量ゲージ３８４には、目標エネルギ減少量に対して、設定されたプランを実行した場合の１日あたりの平均エネルギ減少量の割合がゲージでグラフィカル表示される。さらに、エネルギ量ゲージ３８４には、目標エネルギ減少量に到達するまでの残エネルギ量が表示される。なお、目標エネルギ減少量は、図９の目標値設定欄３７４に表示される１日あたりの目標エネルギ減少量である。また、１日あたりの平均エネルギ減少量の割合は、活動運動プラン、後述する飲酒プラン、間食プランおよび外食・食事量プランのすべてのプランを併用した場合に減少される１日あたりの平均エネルギ減少量の合計値による割合である。また、コメント欄３８５の上段には、各ユーザに対応する禁忌事項が表示される。たとえば、ＢＭＩが３０以上のユーザに対しては、「ヒザ・足首に負担がかからないように注意してください」と表示され、インシュリン注射を行っているユーザに対しては、「低血糖に注意しながら運動してください」と表示される。また、コメント欄３８５の下段には、目標表示欄３８２で設定されたプランが文章化されて表示される。
【００５６】
また、図１１に示すように、飲酒タブ３９ａを選択することによって、飲酒画面３９が表示される。飲酒画面３９には、飲酒に関しての現状を示す現状表示欄３９１と、目標達成のためのプランを示す目標表示欄３９２と、取組み項目のアイコンが例示された選択リスト欄３９３と、エネルギ量ゲージ３９４と、プラン文言設定欄３９５と、アシスト表示欄３９６とが表示される。現状表示欄３９１、目標表示欄３９２および選択リスト欄３９３の構成は、それぞれ、活動運動画面３８の現状表示欄３８１、目標表示欄３８２および選択リスト欄３８３の構成と同様である。ただし、活動運動画面３８の現状表示欄３８１および目標表示欄３８２の下段には、それぞれ、１日毎の消費エネルギ量が表示されるのに対して、飲酒画面３９の現状表示欄３９１および目標表示欄３９２の下段には、それぞれ、１日毎の摂取エネルギ量が表示される。さらに、目標表示欄３９２の最下段には、現状に対するプランの摂取エネルギ減少量が表示される。
【００５７】
また、プラン文言設定欄３９５には、プラン作成にあたっての概略的な複数の目標が選択可能に表示される。また、アシスト表示欄３９６には、プラン文言設定欄３９５で選択された目標の達成に向けて、目標表示欄３９２で設定するプランへの助言が表示される。たとえば、プラン文言設定欄３９５で「週に２日は休肝日を作る」を選択した場合に目標表示欄３９２で休肝日が１日しか設定されていなければ、アシスト表示欄３９６には、「あと１日の休肝日を設定してください」という内容が表示される。また、この場合、目標表示欄３９２は、図１１に示すように、アシスト表示欄３９６に表示された内容に対応する箇所が変色されて強調表示される。
【００５８】
また、図１２に示すように、間食タブ４０ａを選択することによって、間食画面４０が表示される。間食画面４０には、間食に関しての現状を示す現状表示欄４０１と、目標達成のためのプランを示す目標表示欄４０２と、選択リスト欄４０３と、エネルギ量ゲージ４０４と、プラン文言設定欄４０５と、アシスト表示欄４０６とが表示される。間食画面４０は、図１１に示す飲酒画面３９と同様に構成されており、間食画面４０の現状表示欄４０１、目標表示欄４０２、選択リスト欄４０３、エネルギ量ゲージ４０４、プラン文言設定欄４０５およびアシスト表示欄４０６は、それぞれ、飲酒画面３９の現状表示欄３９１、目標表示欄３９２、選択リスト欄３９３、エネルギ量ゲージ３９４、プラン文言設定欄３９５およびアシスト表示欄３９６に対応している。
【００５９】
また、図１３に示すように、外食・食事量タブ４１ａを選択することによって、外食・食事量画面４１が表示される。外食・食事量画面４１には、外食・食事量に関しての現状を示す現状表示欄４１１と、目標達成のためのプランを示す目標表示欄４１２と、選択リスト欄４１３と、エネルギ量ゲージ４１４と、プラン文言設定欄４１５と、アシスト表示欄４１６とが表示される。外食・食事量画面４１は、図１１に示す飲酒画面３９と同様に構成されており、外食・食事量画面４１の現状表示欄４１１、目標表示欄４１２、選択リスト欄４１３、エネルギ量ゲージ４１４、プラン文言設定欄４１５およびアシスト表示欄４１６は、それぞれ、飲酒画面３９の現状表示欄３９１、目標表示欄３９２、選択リスト欄３９３、エネルギ量ゲージ３９４、プラン文言設定欄３９５およびアシスト表示欄３９６に対応している。
【００６０】
また、図１４に示すように、仕方・バランスタブ４２ａを選択することによって、仕方・バランス画面４２が表示される。仕方・バランス画面４２には、食事の仕方である食事習慣および食事バランスについてのプランを設定するためのプラン設定欄４２１が表示される。プラン設定欄４２１には、食事習慣を改善するための複数の改善プランが表示されるとともに、食事バランスを改善するための複数の改善プランが表示される。ユーザは、食事習慣および食事バランスのそれぞれから任意の改善プランを選択して設定することが可能である。この際、ユーザは、食事習慣および食事バランスのそれぞれから複数選択することも可能であるし、選択しないことも可能である。なお、プラン設定欄４２１において改善プランを選択したとしても、上記した１日あたりの平均エネルギ減少量は変動されない。
【００６１】
また、図１５に示すように、禁煙タブ４３ａを選択することによって、禁煙画面４３が表示される。禁煙画面４３には、禁煙についてのプランを設定するためのプラン設定欄４３１が表示される。プラン設定欄４３１には、禁煙するための複数のプランが表示される。具体的には、プラン設定欄４３１には、入力データに基づいて、各ユーザに適合するように、無関心期のプラン選択肢、関心期のプラン選択肢および準備期のプラン選択肢の３パターンの内容が表示される。たとえば、ユーザが喫煙リスクに対して無関心状態の場合には、図１５に示すように、無関心期の複数のプランが選択可能に表示される。ユーザは、表示された複数のプランから任意のプランを選択して設定することが可能である。この際、ユーザは、複数のプランを選択することも可能であるし、全くプランを選択しないことも可能である。なお、プラン設定欄４３１においてプランを選択したとしても、上記の食事習慣および食事バランスの場合と同様に、１日あたりの平均エネルギ減少量は変動されない。
【００６２】
次に、図２のステップＳ６において、図１６に示すように、目標確認画面４４が表示される。具体的には、ユーザが目標確認ボタン３ｅを押下することによって、目標確認画面４４が表示される。目標確認画面４４には、図９に示す目標設定画面３７で設定された目標に基づいて、減量期間や１日あたりに減少させる体重、腹囲およびエネルギ量などが表示される。また、目標確認画面４４のプラン確認欄４４１には、各種プラン設定画面で設定したプラン内容が表示される。これにより、ユーザに目標およびプランを再認識させることが可能である。そして、ユーザは、目標およびプランを確認した後、登録ボタン４４２を押下することによって、目標およびプランの登録を行う。これにより、設定された目標およびプランが通信インタフェース２７を介してホストコンピュータ１０に記憶される。
【００６３】
本実施形態では、上記のように、ＣＰＵ２１を、健康に関する情報の入力を受け付けるように構成するとともに、受け付けた健康に関する情報に基づいて、生活改善する場合および生活改善しない場合の両方の将来の予測を示すように構成することによって、生活改善する場合のポジティブな情報を与え、将来への希望や期待を持たせることができるので、ユーザの取り組み意欲をより刺激することができる。また、ユーザに希望や期待を持たせることに加えてユーザに生活改善しない場合のネガティブな情報を与えることができるので、ユーザに対して危機意識を持たせることができる。この結果、ポジティブおよびネガティブの両面から、ユーザの生活改善への取り組み意欲が刺激されるので、ユーザに対して、生活改善させるための強い動機付けを与えることができる。
【００６４】
また、本実施形態では、現在と、生活改善する場合と、生活改善しない場合との３つの体形像を比較可能にスタイル予測画面３４に表示するようにＣＰＵ２１を構成することによって、ユーザは、現在と生活改善する場合との比較、現在と生活改善しない場合との比較、および、生活改善する場合と生活改善しない場合との比較の３つのパターンを視覚的に比較して認識することができるので、希望や期待および危機意識のそれぞれを高めることができ、その結果、生活改善させるための強い動機付けをユーザに与えることができる。また、３つの体形像が視覚的に比較されるので、ユーザに具体的な体形のイメージを持たせることができる。
【００６５】
また、本実施形態では、ＣＰＵ２１を、各種のプランの入力を受け付けるように構成するとともに、各種のプランの入力を受け付ける際に、現在の状態および受け付けるプランの両方を比較可能に表示するように構成することによって、現在の状態と視覚的に比較しながら各種のプランを入力することができるので、ユーザにとって生活改善プランを立案し易くなる。
【００６６】
また、本実施形態では、ＣＰＵ２１を、生活改善のための目標の入力を受け付けるように構成するとともに、受け付けた目標を達成するための各種のプランの入力を受け付けるように構成することによって、ユーザは、目標を決定した上で、その目標を達成するための各種のプランを立案することができるので、生活改善プランをより立案し易くなる。
【００６７】
また、本実施形態では、ＣＰＵ２１を、受け付けた運動経歴に基づいて、各ユーザの嗜好に沿ったアイコンを選択リスト欄３８３に表示するように構成することによって、ユーザにとって生活改善プランを立案し易くなる。
【００６８】
また、本実施形態では、受け付けた健康に関する情報に基づいて、現在の病態の進行度合いを示す病態把握画面３２を表示するようにＣＰＵ２１を構成することによって、病態の進行度合いを容易にイメージさせることができるので、容易に、ユーザに強い危機意識を持たせることができる。
【００６９】
また、本実施形態では、受け付けた健康に関する情報に基づいて、現在の血管の危険度合いを血管の模式図を用いて示す血管リスク画面３１を表示するようにＣＰＵ２１を構成することによって、血管の危険度合いを容易にイメージさせることができるので、容易に、ユーザに強い危機意識を持たせることができる。
【００７０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７１】
たとえば、本実施形態では、保険指導支援システムの入力デバイスにより入力された入力データを受け付ける構成の例を示したが、本発明はこれに限らず、ネットワークを介して接続された他のコンピュータから入力された入力データを受け付ける構成であってもよい。また、所定のデバイスと連携したオンライン入力や所定のファイル形式によるファイル入力などが可能な構成であってもよい。
【００７２】
また、本実施形態では、健康に関する情報に基づいて、体形、健康年齢および医療費についての将来の予測を表示する構成の例を示したが、本発明はこれに限らず、健康に関する情報に基づいて、体形、健康年齢および医療費以外の他の事項についての将来の予測を表示する構成であってもよい。
【００７３】
また、本実施形態では、健康に関する情報の一例として、健診項目、食習慣、食事バランス、運動習慣、運動経歴、行動意欲、個人環境、喫煙習慣および生体に関する情報を示したが、本発明はこれに限らず、たとえば、睡眠時間や生活リズムなど、上記以外の他の健康に関する情報であってもよい。
【００７４】
また、本実施形態では、入力データをホストコンピュータに記憶する構成の例を示したが、本発明はこれに限らず、入力データを保健指導支援システムのハードディスクに記憶する構成であってもよい。
【００７５】
また、本実施形態では、設定された目標およびプランをホストコンピュータに記憶する構成の例を示したが、本発明はこれに限らず、設定された目標およびプランを保健指導支援システムのハードディスクに記憶する構成であってもよい。
【００７６】
また、本実施形態では、生活改善する場合および生活改善しない場合の両方の将来の予測を視覚的に表示する構成の例を示したが、本発明はこれに限らず、生活改善する場合および生活改善しない場合の両方の将来の予測を、音声により聴覚的に示す構成であってもよい。
【００７７】
また、本実施形態では、生活改善した場合の体形像として、所定の割合（固定値）の減量（実施形態では５％の減量）をした場合に予測される所定年数後の体形および体重を表示する構成の例を示したが、本発明はこれに限らず、図２のステップＳ５およびＳ６において、ユーザにより実際に入力設定されたプランにより減少されるエネルギ量に基づいて、予測される所定年数後の体形および体重を表示する構成であってもよい。
【００７８】
また、本実施形態では、体重または腹囲についての目標を受け付ける構成の例を示したが、本発明はこれに限らず、体重または腹囲以外の、たとえば、体脂肪率などについての目標を受け付ける構成であってもよい。
【００７９】
また、本実施形態では、保健指導支援用プログラムを記憶した記憶媒体の一例として、ＣＤ−ＲＯＭ型の可搬型記録媒体を示したが、本発明はこれに限らず、ＣＤ−ＲＯＭ型以外の、たとえば、フロッピディスク型やメモリカード型などの記録媒体であってもよい。
【図面の簡単な説明】
【００８０】
【図１】本発明の一実施形態による保健指導支援システムの全体構成を示したブロック図である。
【図２】図１に示した一実施形態による保健指導支援システムの保健指導支援用プログラムによる保健指導支援動作を示したフロー図である。
【図３】図１に示した一実施形態による保健指導支援システムの血管リスク画面を示した図である。
【図４】図１に示した一実施形態による保健指導支援システムの病態把握画面を示した図である。
【図５】図１に示した一実施形態による保健指導支援システムの喫煙状況画面を示した図である。
【図６】図１に示した一実施形態による保健指導支援システムのスタイル予測画面を示した図である。
【図７】図１に示した一実施形態による保健指導支援システムの健康年齢予測画面を示した図である。
【図８】図１に示した一実施形態による保健指導支援システムの医療費画面を示した図である。
【図９】図１に示した一実施形態による保健指導支援システムの目標設定画面を示した図である。
【図１０】図１に示した一実施形態による保健指導支援システムの活動運動画面を示した図である。
【図１１】図１に示した一実施形態による保健指導支援システムの飲酒画面を示した図である。
【図１２】図１に示した一実施形態による保健指導支援システムの間食画面を示した図である。
【図１３】図１に示した一実施形態による保健指導支援システムの外食・食事量画面を示した図である。
【図１４】図１に示した一実施形態による保健指導支援システムの仕方・バランス画面を示した図である。
【図１５】図１に示した一実施形態による保健指導支援システムの禁煙画面を示した図である。
【図１６】図１に示した一実施形態による保健指導支援システムの目標確認画面を示した図である。
【符号の説明】
【００８１】
１    保健指導支援システム（コンピュータ）
５    可搬型記録媒体（保健指導支援用プログラムを記録した記録媒体）
５ａ    保健指導支援用プログラム
２１    ＣＰＵ（データ受付手段、将来予測手段、改善プラン受付手段、表示制御手段、目標受付手段、病態リスク表示手段、血管リスク表示手段）
【図１】
2010157123.tif 000003
【図２】
2010157123.tif 000004
【図３】
2010157123.tif 000005
【図４】
2010157123.tif 000006
【図５】
2010157123.tif 000007
【図６】
2010157123.tif 000008
【図７】
2010157123.tif 000009
【図８】
2010157123.tif 000010
【図９】
2010157123.tif 000011
【図１０】
2010157123.tif 000012
【図１１】
2010157123.tif 000013
【図１２】
2010157123.tif 000014
【図１３】
2010157123.tif 000015
【図１４】
2010157123.tif 000016
【図１５】
2010157123.tif 000017
【図１６】
2010157123.tif 000018